【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
クライアント・マシンから通信ネットワークを通じてリモート・マシンにおけるオブジェクトにアクセスするコンピュータ実装方法であって、
（ａ）少なくとも１つの前記オブジェクトを、前記リモート・マシンにおいて登録し、予め修正することなく前記リモート・マシンにおける前記オブジェクトへのリモート・アクセスを可能にするステップと、
（ｂ）前記リモート・マシンにおいて、前記登録されたオブジェクトを少なくとも１つ含むマシン・ページを生成するステップであって、前記少なくとも１つの登録されたオブジェクトを前記マシン・ページにマッピングするステップを含む、ステップと、
（ｃ）前記クライアント・ステーションにおいてブラウザを用い、前記リモート・マシンにおけるネットワーク・アダプタと前記マシン・ページとを通じて、前記少なくとも１つのオブジェクトをブラウズするステップと、
を含むことを特徴とする方法。
【請求項２】
請求項１記載の方法において、前記リモート・マシンは、エージェント・フレームワークを備えており、ステップ（ｂ）において、前記ネットワーク・アダプタは、前記クレームワークへの問い合わせを行い、前記少なくとも１つの登録されたオブジェクトを識別することを特徴とする方法。
【請求項３】
請求項２記載の方法において、前記フレームワークは、関連するレポジトリ・オブジェクトを備えており、ステップ（ａ）は、前記少なくとも１つのオブジェクト及び／又は前記ネットワーク・アダプタを前記レポジトリ・オブジェクトに登録するステップを含むことを特徴とする方法。
【請求項４】
請求項３記載の方法において、前記フレームワークはビーンであり、及び／又は、前記ネットワーク・アダプタはビーンであることを特徴とする方法。
【請求項５】
請求項４記載の方法であって、ステップ（ｂ）は、イントロスペクションによってビーン・メソッドを抽出するステップを含むことを特徴とする方法。
【請求項６】
請求項２記載の方法において、前記オブジェクトは、１組のプロパティとアクションを実行する１組のメソッドとイベント及びイントロスペクションのサポートとを含むビーンであることを特徴とする方法。
【請求項７】
請求項６記載の方法において、前記マシン・ページはＨＴＭＬページであり、前記ビーンは、ＨＴＭＬテーブルとして表現され、
第１のコラムは、プロパティ名を含み、
第２のコラムは、プロパティ型を含み、
第３のコラムは、アクセス権を含み、
第４のコラムは、プロパティ値を含むことを特徴とする方法。
【請求項８】
請求項１記載の方法において、前記オブジェクトは、１組のプロパティとアクションを実行する１組のメソッドとイベント及びイントロスペクションに対するサポートとを含むビーンであることを特徴とする方法。
【請求項９】
請求項１記載の方法において、前記オブジェクトは被管理オブジェクト・ビーンであることを特徴とする方法。
【請求項１０】
請求項１記載の方法において、前記オブジェクトは、前記リモート・マシンにおける１組のビーンの中の１つであり、ステップ（ｄ）は、
クライアント・マシンにおいて、前記クライアント・マシンから遠隔的に修正可能な前記リモート・マシンにおけるビーンの表現を表示するステップと、
表示されたビーン表現の前記クライアント・マシンにおけるユーザ選択に応答して、前記クライアント・マシンにおいて、遠隔的に修正可能なビーン・プロパティを表示するステップと、
前記クライアント・マシンにおけるユーザ入力に遠隔的に応答して、前記ビーンの選択されたパラメータを修正するステップと、
を含むことを特徴とする方法。
【請求項１１】
通信ネットワークを通じてリモート・マシンにおけるオブジェクトにアクセスするコンピュータ実装方法であって、
前記オブジェクトを、前記リモート・マシンにおける外部的にアクセス可能なマシン・ページにマッピングするステップと、
ブラウザを用い前記マシン・ページを通じて前記オブジェクトをブラウズするステップと、
を含むことを特徴とする方法。
【請求項１２】
請求項１１記載の方法において、前記マッピングするステップが、
前記リモート・マシンにおいて、ネットワーク・アダプタを起動するステップと、
前記オブジェクトをエージェント・フレームワークに登録するステップと、
前記ネットワーク・アダプタに、前記エージェント・フレームワークに問い合わせを行い登録されたオブジェクトを識別させるステップと、
を含むことを特徴とする方法。
【請求項１３】
請求項１１記載の方法において、前記ブラウズするステップは、
前記ブラウザによって前記ページにアクセスするステップと、
前記アクセスされたページから前記オブジェクトを選択するステップと、
を含むことを特徴とする方法。
【請求項１４】
請求項１３記載の方法において、前記ブラウズするステップは、前記選択されたオブジェクトを修正するステップを更に含むことを特徴とする方法。
【請求項１５】
請求項１１記載の方法において、前記オブジェクトは、１組のプロパティ、アクションを実行する１組のメソッド、ならびにイベント及びイントロスペクションに対するサポートから成るビーンであることを特徴とする方法。
【請求項１６】
請求項１５記載の方法において、前記マシン・ページはＨＴＭＬページであり、前記ネットワーク・アダプタがＨＴＭＬアダプタであることを特徴とする方法。
【請求項１７】
通信ネットワークを通じて遠隔的にアクセス可能なコンピュータ・システムであって、リモート・マシンにおける外部的にアクセス可能なマシン・ページにオブジェクトをマッピングするように構成されたマッピング機構を備え、よって、前記オブジェクトはブラウザを用い前記マシン・ページを通じて外部的にアクセス可能であり、前記リモート・マシンにおける前記オブジェクトは予め修正することなくアクセスされることを特徴とするコンピュータ・システム。
【請求項１８】
請求項１７記載のシステムにおいて、前記マッピング機構は、エージェント・フレームワークと、前記オブジェクトを前記エージェント・フレームワークに登録する登録機構とを備えていることを特徴とするシステム。
【請求項１９】
請求項１７記載のシステムであって、前記フレームワークへの問い合わせを行い登録されたオブジェクトを識別するように構成されたネットワーク・アダプタを備えていることを特徴とするシステム。
【請求項２０】
請求項１９記載のシステムにおいて、前記登録機構は、前記オブジェクト及び／又は前記ネットワーク・アダプタが登録されるレポジトリ・オブジェクトを備えていることを特徴とするシステム。
【請求項２１】
請求項２０記載のシステムにおいて、前記オブジェクトは、１組のプロパティとアクションを実行する１組のメソッドとイベント及びイントロスペクションに対するサポートを有するビーンであることを特徴とするシステム。
【請求項２２】
請求項２１記載のシステムであって、前記マシン・ページを通じて前記ビーンに遠隔的にアクセスするブラウザを備えていることを特徴とするシステム。
【請求項２３】
請求項２２記載のシステムにおいて、前記ブラウザは、前記マシン・ページからの前記ビーンの選択を可能とすることを特徴とするシステム。
【請求項２４】
請求項２３記載のシステムにおいて、前記ブラウザは、更に、前記選択されたビーンの修正を可能とすることを特徴とするシステム。
【請求項２５】
請求項１７記載のシステムにおいて、前記オブジェクトは、１組のプロパティとアクションを実行する１組のメソッドとイベント及びイントロスペクションに対するサポートとを含むことを特徴とするシステム。
【請求項２６】
請求項１７記載のシステムにおいて、前記ページはＨＴＭＬページであり、前記マッピング機構はＨＴＭＬアダプタであることを特徴とするシステム。
【請求項２７】
請求項１７記載のシステムにおいて、前記マッピング機構はソフトウエア機構であることを特徴とするシステム。
【請求項２８】
通信ネットワークを通じてオブジェクトへのリモート・アクセスを可能にする、少なくとも１つの記憶デバイス上のソフトウエア・システムであって、
外部的にアクセス可能なマシン・ページにオブジェクトをマッピングするように構成されたマッピング機構を備えており、よって、ブラウザを用い前記マシン・ページを通じて前記オブジェクトにアクセス可能であり、前記オブジェクトは予めの修正なくアクセスされることを特徴とするシステム。
【請求項２９】
請求項２８記載のシステムにおいて、前記オブジェクトは、１組のプロパティとアクションを実行する１組のメソッドとイベント及びイントロスペクションに対するサポートとを含むビーンであることを特徴とするシステム。